(57)【要約】      （修正有）【課題】光ヘッドの放熱及び保護を行うためのカバー部材及びレーザ光源を簡単な構造とするとともに、ボルトの使用本数を極力抑えることで、製造効率を高め、レーザ光の光軸等のレーザ光源の組立による精度のばらつきを抑制するることができる光ヘッド及び光ディスク装置を提供する。【解決手段】ベース１の光源装着部１１に形成されたボス１１２とカバー部材３のレーザ光源支持部３２に形成されたボス孔３２１を係合させ、カバー部材３がベース１に位置決めする。ベース１の底面に形成される雌ねじ孔とカバー部材３のカバー部３１に形成されるねじ孔とが重なり、この状態でボルト４をねじ孔に貫通させて雌ねじ孔と螺合する。【選択図】図７
0003112093.tif 000002
【実用新案登録請求の範囲】
【請求項１】
光ディスクを回転させるスピンドルモータと、前記光ディスクに対してレーザ光を照射
する光ヘッドと、信号を処理するための信号処理装置と、前記光ヘッドにて検出され前記
信号処理装置にて復号化された信号を外部の映像表示部に接続するための外部接続部と、
制御部とを備える光ディスク装置であって、
前記光ヘッドは、レーザ光を照射するレーザ光源と、前記レーザ光から特定の波長の光
を取り出すグレーティングと、前記レーザ光の一部を反射し一部を透過するハーフミラー
と、前記レーザ光を反射するミラーと、前記レーザ光を平行光にするコリメータレンズと
、前記レーザ光を前記光ディスクに照射するための対物レンズと、光を受光し電気信号に
変換する受光素子と、前記対物レンズを保持するアクトベースと、前記レーザ光源、グレ
ーティング、ハーフミラー、ミラー、受光素子及びアクトベースが固定されるベースと、
前記ベースの底面を覆うように装着されるカバー部材とを有しており、
前記ベースは側面に前記光源設置部に前記レーザ光源を圧入するための光源圧入孔と、
前記光源圧入孔を挟んで対向する位置にボスを有する光源設置部と、底面にボルト螺合す
ることができる雌ねじ孔とを備えており、
前記カバー部材は前記ベースに装着したときに該ベースの底面を覆うカバー部と、前記
光源設置部を覆う光源支持部とを備え、前記カバー部には前記雌ねじ孔と重なる位置にね
じ孔と、前記グレーティングを調整するためのグレーティング調整窓と、前記アクトベー
スの傾きを調整するための傾き調整窓を有しており、前記光源支持部には前記レーザ光源
の一部が貫通する光源貫通孔と、前記ボスが貫通するボス孔とを有しており、
前記カバー部材は前記ボスが前記ボス孔を貫通するように配置するとともに、ボルトを
前記カバー部の外から前記ねじ孔を貫通し、前記ベースの底面の雌ねじ孔と螺合させるこ
とで前記ベースに接続固定されることを特徴とする光ディスク装置。
【請求項２】
光ヘッドで光ディスクにレーザ光を照射することでデータを記録、読出しする光ディス
ク装置であって、
前記光ヘッドは、レーザ光を照射するレーザ光源と、前記レーザ光源が固定されるベー
スと、前記ベースの底面を覆うように装着されるカバー部材とを有しており、
前記ベースは側面に前記光源設置部に前記レーザ光源を圧入するための光源圧入孔と、
少なくとも１個のボスとを有する光源設置部と、底面にボルト螺合することができる雌ね
じ孔とを備えており、
前記カバー部材は前記ベースに装着したときに該ベースの底面を覆うカバー部と、前記
光源設置部を覆う光源支持部とを備え、前記カバー部の前記雌ねじ孔と重なる位置にねじ
孔を有し、前記光源支持部に前記レーザ光源の一部が貫通する光源貫通孔と、前記ボスが
貫通するボス孔とを有しており、
前記カバー部材は前記ボスが前記ボス孔を貫通するように配置するとともに、ボルトを
前記カバー部の外から前記ねじ孔を貫通し、前記ベースの底面の雌ねじ孔と螺合させるこ
とで前記ベースに接続固定されることを特徴とする光ディスク装置。
【請求項３】
レーザ光を照射するレーザ光源と、
前記レーザ光から特定の波長の光を取り出すグレーティングと、
前記レーザ光の一部を反射し一部を透過するハーフミラーと、
前記レーザ光を平行光にするコリメータレンズと、
前記レーザ光を前記光ディスクに照射するための対物レンズと、
光を受光し電気信号に変換する受光素子と、
前記対物レンズを保持するアクトベースと、
前記レーザ光源、グレーティング、ハーフミラー、受光素子及びアクトベースが固定さ
れるベースと、
前記ベースの底面を覆うように装着されるカバー部材とを有しており、
前記ベースは側面に前記光源設置部に前記レーザ光源を圧入するための光源圧入孔と、
前記光源圧入孔を挟んで対向する位置にボスを有する光源設置部と、底面にボルト螺合す
ることができる雌ねじ孔とを備えており、
前記カバー部材は前記ベースに装着したときに該ベースの底面を覆うカバー部と、前記
光源設置部を覆う光源支持部とを備え、前記カバー部には前記雌ねじ孔と重なる位置にね
じ孔と、前記グレーティングを調整するためのグレーティング調整窓と、前記アクトベー
スの傾きを調整するための傾き調整窓を有しており、前記光源支持部には前記レーザ光源
の一部が貫通する光源貫通孔と、前記ボスが貫通するボス孔とを有しており、
前記カバー部材は前記ボスが前記ボス孔を貫通するように配置するとともに、ボルトを
前記カバー部の外から前記ねじ孔を貫通し、前記ベースの底面の雌ねじ孔と螺合させるこ
とで前記ベースに接続固定されることを特徴とする光ヘッド。
【請求項４】
レーザ光を照射するレーザ光源と、
前記レーザ光源が固定されるベースと、
前記ベースの底面を覆うように装着されるカバー部材とを有しており、
前記ベースは側面に前記光源設置部に前記レーザ光源を圧入するための光源圧入孔と、
少なくとも１個のボスとを有する光源設置部と、底面にボルト螺合することができる雌ね
じ孔とを備えており、
前記カバー部材は前記ベースに装着したときに該ベースの底面を覆うカバー部と、前記
光源設置部を覆う光源支持部とを備え、前記カバー部の前記雌ねじ孔と重なる位置にねじ
孔を有し、前記光源支持部に前記レーザ光源の一部が貫通する光源貫通孔と、前記ボスが
貫通するボス孔とを有しており、
前記カバー部材は前記ボスが前記ボス孔を貫通するように配置するとともに、ボルトを
前記カバー部の外から前記ねじ孔を貫通し、前記ベースの底面の雌ねじ孔と螺合させるこ
とで前記ベースに接続固定されることを特徴とする光ヘッド。
【考案の詳細な説明】
【技術分野】
【０００１】
本考案は、光ディスクにレーザ光を照射することでデータの記録及び（又は）読出しを
行うことができる光ディスク装置に関するものであり、特に前記光ディスクにレーザ光を
照射する光ヘッドに関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図２に光ヘッドの配置図を示す。図２に示す光ヘッドはそれには限定されないがここで
は、光ディスクに記録されているデータを読出す読出し専用の光ヘッドである。図２に示
すようにレーザ光源Ｌｄと、レーザ光源Ｌｄから照射されたレーザ光の特定波長の光を取
り出すグレーティングＧｒと、ミラーＭｒと、コリメータレンズＬｃと、対物レンズＬｂ
と、ハーフミラーＨｍと、受光素子Ｐｄとを有している。レーザ光源Ｌｄより照射された
レーザ光グレーティングＧｒにて特定波長だけ抽出され、ミラーＭｒで反射されてコリメ
ータレンズＬｃに入射する。コリメータレンズＬｃに入射したレーザ光は平行光として出
射され対物レンズＬｂに入射する。対物レンズＬｂに入射したレーザ光は光ディスクＤｓ
の記録面に照射される。
【０００４】
このときレーザ光は光ディスクＤｓの記録層に焦点をあわせて、且つ、光軸と光ディス
クＤｓの記録層とが垂直になるようにレーザ光を照射する。ハーフミラーＨｍは入射され
たレーザ光の半分を透過し半分を反射するミラーであり、光ディスクＤｓで反射した光を
受光素子Ｐｄに導くものである。受光素子Ｐｄは光を電流に変換するものであり、光の強
さによってデータを読み取るものである。
【０００５】
図８（Ａ）に従来の光ヘッドの底面図を、図８（Ｂ）に図８（Ａ）に示す光ヘッドの側
面図を示す。図８（Ａ）、図８（Ｂ）に示す光ヘッドＢはベース９１と、ベース９１に取
り付けられるレーザ光源ユニット９２と、レーザ光を回折するグレーティングＧｒと、レ
ーザ光源ユニット９２から発せられる熱を放熱するためのカバー部材９３が取り付けられ
る。
【０００６】
ベース９１はレーザ光源ユニット９２を配置するための光源装着部９１１を有しており
、光源装着部９１１には対角線上に配置された雌ねじ孔９１２と、雌ねじ孔９１２が形成
されているのとは異なる対角線上にボス９１３がそれぞれ２個ずつ形成されている。また
ベース９１の底面にも雌ねじ孔９１４が形成されている。
【０００７】
レーザ光源ユニット９２はレーザ光源Ｌｄと、レーザホルダ９２２とを有している。レ
ーザ光源Ｌｄはレーザホルダ９２２に形成された貫通孔に圧入固定されている。
【０００８】
カバー部材９３は、ベース９１の底面に取り付けらるものであり、底面を覆うカバー部
９３１と、レーザ光源ユニット９２を接触保持するレーザ光源保持部９３２とを有してい
る。グレーティングＧｒを調整するためのグレーティング調整窓９３４と、対物レンズを
保持するアクトベース９４の傾きを調整する傾き調整窓９３５とを有している。
【０００９】
レーザ光源Ｌｄを圧入したレーザホルダ９２２を、光源装着部９１１に配置する。この
とき、光源装着部９１１のボス９１３がレーザホルダ９２２のボス孔を貫通するように配
置される。このように配置されることで、レーザホルダ９２２の位置決めを行うことがで
きる。
【００１０】
さらに、レーザホルダ９２２を貫通したボス９１３とカバー部材９３のレーザ光源保持
部９３２に形成されたボス孔とが嵌合するようにカバー部材９３を取り付ける。
【００１１】
カバー部材９３の上からボルトＢｔを挿入し雌ねじ孔９１２と螺合することで、レーザ
ホルダ９２２及びカバー部材９３を固定することができる。ボルトＢｔの締め付け具合を
調整することで、レーザ光源ユニット９２の角度を微調整することができ、レーザ光源Ｌ
ｄの調整を行うことができる。また、カバー部材９３はカバー部９３１にもねじ孔９３６
が形成されており、ねじ孔をベース９１の底面に形成されている雌ねじ孔９１４と重ねて
、ボルトＢｔ２を螺合することで、カバー部材９３のカバー部９３１が浮き上がらないよ
うに固定できる。
【００１２】
特開２００４−２５９４３２号公報に記載の発明は、光ピックアップにはフレキシブル
基板が取り付けられており、フレキシブル基板の浮き上がりを押えるための押えばねＡが
備えられている。押えばねＡは光学台にビス止めされると同時に反対側の一部が、光学台
の突起部に挟持されるものを示している。
【００１３】
特開２００３−５９０６４号公報に記載の発明は、ねじピンにはんだ付けにてレーザダ
イオード（本考案におけるレーザ光源）を固定するものが示されている。
【特許文献１】特開２００４−２５９４３２号公報
【特許文献２】特開２００３−５９０６４号公報
【考案の開示】
【考案が解決しようとする課題】
【００１４】
光ヘッドＢを組み立てるときに、レーザホルダ９２２及びカバー部材９３を固定するた
めのボルトＢｔが用いられている。カバー部材９３の浮き上がりを押えるためのボルトＢ
ｔ２はベース９１のアクセスしやすい場所に設けられた雌ねじ孔９１４と螺合するが、レ
ーザホルダ９２２を貫通するボルトＢｔと螺合する雌ねじ孔９２４はアクセスしにくく、
それだけ、光ヘッドＢの組み立てに時間と手間がかかる。
【００１５】
また、レーザホルダ９２２に圧入されたレーザ光源Ｌｄのレーザ光の照射方向（光軸）
は非常に繊細な調整が必要であり、わずかな狂いであっても、光ディスクに記録されてい
るデータを読み出せなかったり、光ディスクにデータを記録できなかったりする。その、
レーザホルダ９２２をボルトＢｔで組付ける場合、ボルトＢｔの締め付け力が狂うと光軸
がずれ、不具合が発生する。また、ボルトＢｔは光ディスク装置を長期間使用している間
に緩むことも多く、ボルトが緩むことで、上述したような不具合が発生することも多い。
【００１６】
さらに、光ヘッドＢに取り付けられるレーザホルダ９２２は小さな部材であり、レーザ
ホルダ９２２をとめるためのボルトＢｔも小さく製造するのに、時間と手間がかかり、光
ヘッドＢ全体としての製造効率が悪くなる。
【００１７】
そこで本考案は、光ヘッドの放熱及び保護を行うためのカバー部材を簡単な構造とする
とともに、ボルトの使用本数を極力抑えることで、製造効率を高めることができる光ヘッ
ド及びこの光ヘッドを用いた光ディスク装置を提供することを目的とする。
【００１８】
また本考案は、簡単な方法でレーザ光源をベースに取り付けることができ、レーザ光の
光軸等のレーザ光源の組立による精度のばらつきを抑制することができる光ヘッド及び光
ヘッドを用いた光ディスク装置を提供することを目的とする
【課題を解決するための手段】
【００１９】
上記目的を達成するために本考案は、光ディスクを回転させるスピンドルモータと、前
記光ディスクに対してレーザ光を照射する光ヘッドと、信号を処理するための信号処理装
置と、前記光ヘッドにて検出され前記信号処理装置にて復号化された信号を外部の映像表
示部に接続するための外部接続部と、制御部とを備える光ディスク装置であって、前記光
ヘッドは、レーザ光を照射するレーザ光源と、前記レーザ光から特定の波長の光を取り出
すグレーティングと、前記レーザ光の一部を反射し一部を透過するハーフミラーと、前記
レーザ光を反射するミラーと、前記レーザ光を平行光にするコリメータレンズと、前記レ
ーザ光を前記光ディスクに照射するための対物レンズと、光を受光し電気信号に変換する
受光素子と、前記対物レンズを保持するアクトベースと、前記レーザ光源、グレーティン
グ、ハーフミラー、ミラー、受光素子及びアクトベースが固定されるベースと、前記ベー
スの底面を覆うように装着されるカバー部材とを有しており  前記ベースは側面に前記光
源設置部に前記レーザ光源を圧入するための光源圧入孔と、前記光源圧入孔を挟んで対向
する位置にボスとを有する光源設置部と、底面にボルト螺合することができる雌ねじ孔と
を備えており、前記カバー部材は前記ベースに装着したときに該ベースの底面を覆うカバ
ー部と、前記光源設置部を覆う光源支持部とを備え、前記カバー部には前記雌ねじ孔と重
なる位置にねじ孔と、前記グレーティングを調整するためのグレーティング調整窓と、前
記アクトベースの傾きを調整するための傾き調整窓を有しており、前記光源支持部には前
記レーザ光源の一部が貫通する光源貫通孔と、前記ボスが貫通するボス孔とを有しており
、前記カバー部材は前記ボスが前記ボス孔を貫通するように配置するとともに、ボルトを
前記カバー部の外から前記ねじ孔を貫通し、前記ベースの底面の雌ねじ孔と螺合させるこ
とで前記ベースに接続固定されることを特徴とする光ディスク装置を提供する。
【００２０】
この構成によると、前記ベースの背面を覆うためのカバー部材を取り付けるときに、前
記高原設置部に形成されたボスにカバー部材のボス孔を係合し、ボルトで前記底面部に形
成された雌ねじ孔でボルト留めすることができるので、１個のボルトを締めることで、カ
バー部材を取り付けることができる。
【００２１】
また、前記レーザ光源を前記高原設置部の高原圧入孔に直接圧入するので、従来のよう
にレーザ光源を保持するためのレーザホルダを必要としない。前記レーザホルダをボルト
締めにて固定するもののように、ボルトの締め付け度合いによって前記レーザ光源の設置
状態が狂うのを防止することができる。
【００２２】
上記目的を達成するために本考案は、光ヘッドで光ディスクにレーザ光を照射すること
でデータを記録、読出しする光ディスク装置であって、前記光ヘッドは、レーザ光を照射
するレーザ光源と、前記レーザ光源が固定されるベースと、前記ベースの底面を覆うよう
に装着されるカバー部材とを有しており、前記ベースは側面に前記光源設置部に前記レー
ザ光源を圧入するための光源圧入孔と、少なくとも１個のボスとを有する光源設置部と、
底面にボルト螺合することができる雌ねじ孔とを備えており、前記カバー部材は前記ベー
スに装着したときに該ベースの底面を覆うカバー部と、前記光源設置部を覆う光源支持部
とを備え、前記カバー部の前記雌ねじ孔と重なる位置にねじ孔を有し、前記光源支持部に
前記レーザ光源の一部が貫通する光源貫通孔と、前記ボスが貫通するボス孔とを有してお
り、前記カバー部材は前記ボスが前記ボス孔を貫通するように配置するとともに、ボルト
を前記カバー部の外から前記ねじ孔を貫通し、前記ベースの底面の雌ねじ孔と螺合させる
ことで前記ベースに接続固定されることを特徴とする光ディスク装置を提供する。
【００２３】
この構成によると、前記ベースの背面を覆うためのカバー部材を取り付けるときに、前
記高原設置部に形成されたボスにカバー部材のボス孔を係合し、ボルトで前記底面部に形
成された雌ねじ孔でボルト留めすることができるので、１個のボルトを締めることで、カ
バー部材を取り付けることができる。
【００２４】
また、前記レーザ光源を前記高原設置部の高原圧入孔に直接圧入するので、従来のよう
にレーザ光源を保持するためのレーザホルダを必要としない。前記レーザホルダをボルト
締めにて固定するもののように、ボルトの締め付け度合いによって前記レーザ光源の設置
状態が狂うのを防止することができる。
【００２５】
上記目的を達成するために本考案は、レーザ光を照射するレーザ光源と、前記レーザ光
から特定の波長の光を取り出すグレーティングと、前記レーザ光の一部を反射し一部を透
過するハーフミラーと、前記レーザ光を平行光にするコリメータレンズと、前記レーザ光
を前記光ディスクに照射するための対物レンズと、
光を受光し電気信号に変換する受光素子と、前記対物レンズを保持するアクトベースと
、前記レーザ光源、グレーティング、ハーフミラー、受光素子及びアクトベースが固定さ
れるベースと、前記ベースの底面を覆うように装着されるカバー部材とを有しており、前
記ベースは側面に前記光源設置部に前記レーザ光源を圧入するための光源圧入孔と、前記
光源圧入孔を挟んで対向する位置にボスとを有する光源設置部と、底面にボルト螺合する
ことができる雌ねじ孔とを備えており、前記カバー部材は前記ベースに装着したときに該
ベースの底面を覆うカバー部と、前記光源設置部を覆う光源支持部とを備え、前記カバー
部には前記雌ねじ孔と重なる位置にねじ孔と、前記グレーティングを調整するためのグレ
ーティング調整窓と、前記アクトベースの傾きを調整するための傾き調整窓を有しており
、前記光源支持部には前記レーザ光源の一部が貫通する光源貫通孔と、前記ボスが貫通す
るボス孔とを有しており、前記カバー部材は前記ボスが前記ボス孔を貫通するように配置
するとともに、ボルトを前記カバー部の外から前記ねじ孔を貫通し、前記ベースの底面の
雌ねじ孔と螺合させることで前記ベースに接続固定されることを特徴とする光ヘッドを提
供する。
【００２６】
この構成によると、前記ベースの背面を覆うためのカバー部材を取り付けるときに、前
記高原設置部に形成されたボスにカバー部材のボス孔を係合し、ボルトで前記底面部に形
成された雌ねじ孔でボルト留めすることができるので、１個のボルトを締めることで、カ
バー部材を取り付けることができる。
【００２７】
また、前記レーザ光源を前記高原設置部の高原圧入孔に直接圧入するので、従来のよう
にレーザ光源を保持するためのレーザホルダを必要としない。前記レーザホルダをボルト
締めにて固定するもののように、ボルトの締め付け度合いによって前記レーザ光源の設置
状態が狂うのを防止することができる。
【００２８】
上記目的を達成するために本考案は、レーザ光を照射するレーザ光源と、前記レーザ光
源が固定されるベースと、前記ベースの底面を覆うように装着されるカバー部材とを有し
ており、前記ベースは側面に前記光源設置部に前記レーザ光源を圧入するための光源圧入
孔と、少なくとも１個のボスとを有する光源設置部と、底面にボルト螺合することができ
る雌ねじ孔とを備えており、前記カバー部材は前記ベースに装着したときに該ベースの底
面を覆うカバー部と、前記光源設置部を覆う光源支持部とを備え、前記カバー部の前記雌
ねじ孔と重なる位置にねじ孔を有し、前記光源支持部に前記レーザ光源の一部が貫通する
光源貫通孔と、前記ボスが貫通するボス孔とを有しており、前記カバー部材は前記ボスが
前記ボス孔を貫通するように配置するとともに、ボルトを前記カバー部の外から前記ねじ
孔を貫通し、前記ベースの底面の雌ねじ孔と螺合させることで前記ベースに接続固定され
ることを特徴とする光ヘッドを提供する。
【００２９】
この構成によると、前記ベースの背面を覆うためのカバー部材を取り付けるときに、前
記高原設置部に形成されたボスにカバー部材のボス孔を係合し、ボルトで前記底面部に形
成された雌ねじ孔でボルト留めすることができるので、１個のボルトを締めることで、カ
バー部材を取り付けることができる。
【００３０】
また、前記レーザ光源を前記高原設置部の高原圧入孔に直接圧入するので、従来のよう
にレーザ光源を保持するためのレーザホルダを必要としない。前記レーザホルダをボルト
締めにて固定するもののように、ボルトの締め付け度合いによって前記レーザ光源の設置
状態が狂うのを防止することができる。
【考案の効果】
【００３１】
本考案によると、ボルトの使用本数を極力抑えて、簡単な構造とするとともに、製造効
率を高めることができる光ヘッド及びこの光ヘッドを用いた光ディスク装置を提供するこ
とができる。
【００３２】
また、前記ボルト留めの場所を前記ベースのアクセスしやすい位置に形成することで、
特殊な工具を用いることなく、また、ねじを雌ねじ孔に配置するのに多くの時間を必要と
せずにカバー部材を取り付けることができるので、製造時及びメンテナンス時等のカバー
部材の着脱を容易に行うことができる。
【００３３】
また本考案によると、簡単な方法でレーザ光源をベースに取り付けることができ、レー
ザ光の光軸等のレーザ光源の組立による精度のばらつきを抑制することができそれだけ、
不具合の少ない光ヘッド及び光ヘッドを用いた光ディスク装置を提供することができる。
【００３４】
これにより、レーザ光源を取り付けるためのホルダを用いる必要がなく、ホルダにレー
ザ光源を取り付けるための手間及び時間を短縮することができる。また、前記ホルダを製
造しなくてよいので、該ホルダの製造に必要な手間、時間、材料及びエネルギ等を削減す
ることができる。これにより、省エネルギ化、ローコスト化を図ることができる。
【考案を実施するための最良の形態】
【００３５】
以下に本考案の実施形態を図面を参照して説明する。図１に本考案にかかる光ディスク
装置の配置図を示す。図１に示す光ディスク装置は、それには限定されないがここではＤ
ＶＤプレーヤである。図１に示すＤＶＤプレーヤＰＬは、光ディスク（ＤＶＤ記録媒体）
Ｄｓを回転させるスピンドルモータＳｐと、光ディスクＤｓに光を照射し情報を読出す光
ヘッドＡと、光ヘッドＡで検出された信号を復号化するデコーダＤｃと、外部の表示装置
であるモニタＭｎに接続するための外部接続部Ｏｃと、制御部Ｃｏｎｔとを備えている。
【００３６】
ＤＶＤプレーヤＰＬは制御部Ｃｏｎｔによって制御されており、使用者よりＤＶＤを再
生する命令がなされると、まず、スピンドルモータＳｐを駆動し光ディスクＤｓを回転さ
せる。光ヘッドＡより回動している光ディスクＤｓにレーザ光を照射し、その反射光を光
ヘッドＡで検出する。光ヘッドＡに備えられた後述の受光素子Ｐｄは検出した光を電気信
号に変換するものであり、電気信号はデコーダＤｃに送られ映像用の信号に復調され、外
部接続部Ｏｃを介してモニタＭｎに送られ、モニタＭｎに映像を表示する。
【００３７】
図２に光ヘッドの配置図を示す。図２に示す光ヘッドはそれには限定されないがここで
は、光ディスクに記録されているデータを読出す読出し専用の光ヘッドである。図２に示
すようにレーザ光源Ｌｄと、レーザ光源Ｌｄから照射されたレーザ光の特定波長の光を取
り出すグレーティングＧｒと、ミラーＭｒと、コリメータレンズＬｃと、対物レンズＬｂ
と、ハーフミラーＨｍと、受光素子Ｐｄとを有している。レーザ光源Ｌｄより照射された
レーザ光グレーティングＧｒにて特定波長だけ抽出され、ミラーＭｒで反射されてコリメ
ータレンズＬｃに入射する。コリメータレンズＬｃに入射したレーザ光は平行光として出
射され対物レンズＬｂに入射する。対物レンズＬｂに入射したレーザ光は光ディスクＤｓ
の記録面に照射される。
【００３８】
このときレーザ光は光ディスクＤｓの記録層に焦点をあわせて、且つ、光軸と光ディス
クＤｓの記録層とが垂直になるようにレーザ光を照射する。ハーフミラーＨｍは入射され
たレーザ光の半分を透過し半分を反射するミラーであり、光ディスクＤｓで反射した光を
受光素子Ｐｄに導くものである。受光素子Ｐｄは光を電流に変換するものであり、光の強
さによってデータを読み取るものである。光ディスクにデータを記録することのできる光
ヘッドも基本的に同様の構成である。上述の各部材へのレーザ光の照射順序はこれに限定
されるものではなく、可能な範囲で順序が入れ替わっているものであっても良い。
【００３９】
図３に本発明に係る光ヘッドの平面図を、図４に図３に示す光ヘッドの底面図を、図５
に図３に示す光ヘッドの側面図を示す。図３、図４、図５に示す光ヘッドＡは、ベース１
とアクトベース２とを有している。図３、４、５に示す光ヘッドＡはベース１の底面をカ
バーする後述のカバー部材３は取り外している。
【００４０】
ベース１は側面にレーザ光源Ｌｄを装着する光源装着部１１と、底面にカバー部材３を
固定するための雌ねじ孔１２とを備えている。光源装着部１１は略中央にレーザ光源Ｌｄ
を圧入するための光源孔１１１と、レーザ光源Ｌｄの光源孔１１１を挟んで２個のボス１
１２を備えている。
【００４１】
レーザ光源Ｌｄが圧入された光源孔１１１に近接する位置には、グレーティングＧｒを
配置するためのグレーティング配置部１３が配置されている。レーザ光源Ｌｄにて照射さ
れたレーザ光が遮らないようにするための光路として溝１４が形成されている。溝１４の
レーザ光源とは反対側の端部１４０にはハーフミラーＨｍが配置されており、レーザ光の
半分をミラーＭｒに向けて反射し半分を透過している。
【００４２】
ベース１には略中央部にレーザ光が通過する貫通孔１５が形成されており、貫通孔１５
の表側にはコリメータレンズＬｃが、裏側にはミラーＭｒが配置している。ハーフミラー
ＨｍとミラーＭｒの間も、レーザ光が遮らないようにする光路として溝１６が形成されて
いる。
【００４３】
ミラーＭｒはハーフミラーＨｍで反射したレーザ光をコリメータレンズＬｃに反射する
ように傾けて取り付けられている。ミラーＭｒで反射したレーザ光はコリメータレンズＬ
ｃに入射し平行光になる。ベース１の表側にはアクトベース２が取り付けられており、ア
クトベース２は、レーザ光が対物レンズＬｂに入射するように配置されている。
【００４４】
ベース１は摺動するときの方向を規制するための軸Ａｘが摺動可能に貫通する摺動孔１
７と、摺動孔１７に隣接して形成されるラックギア１８とを有している。ラックギア１８
は図示を省略した歯車と歯合しており、歯車が回転することで摺動する。
【００４５】
アクトベース２は対物レンズＬｂを保持するレンズホルダ２１と、レンズホルダ２１を
ワイヤばね２２を介して支持する支持部２３とを有している。アクトベース２は図示を省
略したアクチュエータを用いてレンズホルダ２１を移動させ対物レンズＬｂのトラッキン
グ調整、フォーカシング調整等を行うものである。アクトベース２は光ディスクＤｓに適
切にレーザ光を照射することができるように調整してベース１に取り付けられるものであ
る。
【００４６】
ベース１にはアクトベース２の傾きを調整するボルト（付図示）を挿入する傾き調整孔
１９が形成されており、傾き調整孔１９を貫通してアクトベース２と螺合するボルトを調
整することで、アクトベース２の傾きを調整することができる。
【００４７】
ハーフミラーＨｍのミラーＭｒと反対側受光素子Ｐｄが取り付けられており、ハーフミ
ラーＨｍを透過したレーザ光を受光して電気信号に変換する。
【００４８】
図６（Ａ）に本発明にかかる光ヘッドに用いられるカバー部材の平面図を、図６（Ｂ）
に図６（Ａ）に示すカバー部材の側面図を示す。図６（Ａ）、（Ｂ）に示すように、カバ
ー部材３はベース１の底面を覆うカバー部３１と、レーザ光源Ｌｄを支持しカバー部３１
と直交するレーザ光源支持部３２とを備えている。カバー部材３はそれには限定されない
が、金属板を切曲げて形成されている。
【００４９】
カバー部材３のカバー部３１にはベース１の底面に備えられている雌ねじ孔１２と重な
る位置に配置されるねじ孔３１１と、グレーティング配置部１３と重なる位置に形成され
たグレーティングＧｒの調整を行うグレーティング調整用窓３１２と、アクトベース２の
傾きを調整するための傾き調整窓３１３とを有している。
【００５０】
また、レーザ光源支持部３２には、光源装着部１１に備えられているボス１１２と係合
するためのボス孔３２１と、光源装着部１１の光源孔１１１と重なる位置に形成される貫
通孔３２２とを有している。
【００５１】
図７（Ａ）に図３に示す光ヘッドのカバー部材を取り付けた状態の底面図を、図７（Ｂ
）に図７（Ａ）に示す光ヘッドの側面図を示す。図７（Ａ）、図７（Ｂ）に示すように、
ベース１の底面にカバー部材３を取り付けるときには、まず、ベース１の光源装着部１１
に形成されたボス１１２とカバー部材３のレーザ光源支持部３２に形成されたボス孔３２
１を係合させる。ボス１１２をボス孔３２１に係合することで、カバー部材３がベース１
に対して正しい位置に来るように位置決めできる。すなわち、ベース１の光源装着部１１
の光源孔１１１とカバー部材３のレーザ光源支持部３２の貫通孔３２２とが重なるように
配置される。
【００５２】
さらに、ベース１の底面に形成される雌ねじ孔１２とカバー部材３のカバー部３１に形
成されるねじ孔３１１とが重なる。この状態でボルト４をねじ孔３１１に貫通させて雌ね
じ孔１２と螺合することで、カバー部材３をベース１に固定することができる。カバー部
材３を取り付けた状態では、レーザ光源支持部３２の貫通孔３２２より、レーザ光源Ｌｄ
の一部がカバー部材３より露出しており、その部分より、レーザ光源Ｌｄへ電力を供給す
ることができる。
【００５３】
また、カバー部材３のカバー部３１にはグレーティングＧｒにアクセスするためのグレ
ーティング調整窓３１２が形成されており、グレーティングＧｒにアクセスすることがで
き、カバー部材３を取り外すことなくグレーティングＧｒの調整を行うことができる。さ
らに、ベース１の表側に配置されるアクトベース２の傾きを調整するねじ（不図示）が挿
入される傾き調整窓３１３も形成されているので、カバー部材３が取り付けられた状態で
あっても、アクトベース２の傾きを調整することが可能である。
【００５４】
ベース１にカバー部材３を取り付けることで、レーザ光源Ｌｄ、ハーフミラーＭｒ、受
光素子Ｐｄ等に物品が接触したり、埃、塵等が付着したりして、破損したり故障したりす
るのを抑制することができる。また、光ヘッドＡの外部よりレーザ光以外の光が入射する
のを防ぐことができるので、受光素子Ｐｄに入射するレーザ光に不要な光が混入せず、受
光素子Ｐｄにて正確な電気信号に変換することができる。さらに、レーザ光源Ｌｄからの
熱を効率よく放熱することができ、それだけ、光ヘッドＡの熱による破損、故障等の不具
合の発生を抑制することができる。
【産業上の利用可能性】
【００５５】
本考案の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００５６】
【図１】本考案にかかる光ディスク装置の配置図である。
【図２】光ヘッドの一例の配置図である。
【図３】本考案に係る光ヘッドの平面図である。
【図４】図３に示す光ヘッドの側面図である。
【図５】図３に示す光ヘッドに用いられるレンズホルダの側面図である。
【図６】図（Ａ）は本発明にかかる光ヘッドに用いられるカバー部材の平面図であり、図（Ｂ）は図（Ａ）に示すカバー部材の側面図である。
【図７】図（Ａ）は図３に示す光ヘッドのカバー部材を取り付けた状態の底面図であり、図（Ｂ）は図（Ａ）に示す光ヘッドの側面図である。
【図８】図（Ａ）は従来の光ヘッドの底面図であり、図（Ｂ）は図（Ａ）に示す光ヘッドの側面図である。
【符号の説明】
【００５７】
Ｄｓ  光ディスク
Ｍｒ  ミラー
Ｈｍ  ハーフミラー
Ｌｄ  レーザ光源
Ｐｄ  受光部
１  ベース
１１  光源装着部
１１１  光源孔
１１２  ボス
１２  雌ねじ孔
１３  グレーティング配置部
１４  溝
１５  貫通孔
２  アクトベース
２１  レンズホルダ
２２  ワイヤばね
２３  支持部
３  カバー部材
３１  カバー部
３１１  ねじ孔
３１２  グレーティング調整窓
３１３  傾き調整窓
３２  レーザ光原子時部
３２１  ボス孔
３２２  貫通孔
４  ボルト
【図１】
0003112093.tif 000003
【図２】
0003112093.tif 000004
【図３】
0003112093.tif 000005
【図４】
0003112093.tif 000006
【図５】
0003112093.tif 000007
【図６】
0003112093.tif 000008
【図７】
0003112093.tif 000009
【図８】
0003112093.tif 000010
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
【実用新案登録請求の範囲】
【請求項１】
光ディスクを回転させるスピンドルモータと、前記光ディスクに対してレーザ光を照射
する光ヘッドと、信号を処理するための信号処理装置と、前記光ヘッドにて検出され前記
信号処理装置にて復号化された信号を外部の映像表示部に接続するための外部接続部と、
制御部とを備える光ディスク装置であって、
前記光ヘッドは、レーザ光を照射するレーザ光源と、前記レーザ光から特定の波長の光
を取り出すグレーティングと、前記レーザ光の一部を反射し一部を透過するハーフミラー
と、前記レーザ光を反射するミラーと、前記レーザ光を平行光にするコリメータレンズと
、前記レーザ光を前記光ディスクに照射するための対物レンズと、光を受光し電気信号に
変換する受光素子と、前記対物レンズを保持するアクトベースと、前記レーザ光源、グレ
ーティング、ハーフミラー、ミラー、受光素子及びアクトベースが固定されるベースと、
前記ベースの底面を覆うように装着されるカバー部材とを有しており、
前記ベースは側面に前記光源設置部に前記レーザ光源を圧入するための光源圧入孔と、
前記光源圧入孔を挟んで対向する位置にボスを有する光源設置部と、底面にボルト螺合す
ることができる雌ねじ孔とを備えており、
前記カバー部材は前記ベースに装着したときに該ベースの底面を覆うカバー部と、前記
光源設置部を覆う光源支持部とを備え、前記カバー部には前記雌ねじ孔と重なる位置にね
じ孔と、前記グレーティングを調整するためのグレーティング調整窓と、前記アクトベー
スの傾きを調整するための傾き調整窓を有しており、前記光源支持部には前記レーザ光源
の一部が貫通する光源貫通孔と、前記ボスが貫通するボス孔とを有しており、
前記カバー部材は前記ボスが前記ボス孔を貫通するように配置するとともに、ボルトを
前記カバー部の外から前記ねじ孔を貫通し、前記ベースの底面の雌ねじ孔と螺合させるこ
とで前記ベースに接続固定されることを特徴とする光ディスク装置。
【請求項２】
レーザ光を照射するレーザ光源と、
前記レーザ光から特定の波長の光を取り出すグレーティングと、
前記レーザ光の一部を反射し一部を透過するハーフミラーと、
前記レーザ光を平行光にするコリメータレンズと、
前記レーザ光を前記光ディスクに照射するための対物レンズと、
光を受光し電気信号に変換する受光素子と、
前記対物レンズを保持するアクトベースと、
前記レーザ光源、グレーティング、ハーフミラー、受光素子及びアクトベースが固定さ
れるベースと、
前記ベースの底面を覆うように装着されるカバー部材とを有しており、
前記ベースは側面に前記光源設置部に前記レーザ光源を圧入するための光源圧入孔と、
前記光源圧入孔を挟んで対向する位置にボスを有する光源設置部と、底面にボルト螺合す
ることができる雌ねじ孔とを備えており、
前記カバー部材は前記ベースに装着したときに該ベースの底面を覆うカバー部と、前記
光源設置部を覆う光源支持部とを備え、前記カバー部には前記雌ねじ孔と重なる位置にね
じ孔と、前記グレーティングを調整するためのグレーティング調整窓と、前記アクトベー
スの傾きを調整するための傾き調整窓を有しており、前記光源支持部には前記レーザ光源
の一部が貫通する光源貫通孔と、前記ボスが貫通するボス孔とを有しており、
前記カバー部材は前記ボスが前記ボス孔を貫通するように配置するとともに、ボルトを
前記カバー部の外から前記ねじ孔を貫通し、前記ベースの底面の雌ねじ孔と螺合させるこ
とで前記ベースに接続固定されることを特徴とする光ヘッド。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】